(57)【要約】【課題】不正解錠操作があったことを確実に知ることにより、事前の防犯対策を取ることを可能にする錠制御装置の提供を目的とする。【解決手段】認証情報入力部１から入力された認証情報に対する認証成立を条件に電気錠２を解錠する錠制御装置であって、  解錠失敗操作を不正操作履歴として保持する履歴保持部３と、  履歴保持部３への不正操作履歴の有無を表示する履歴表示部４とを有し、  前記履歴保持部３に保持された不正操作履歴は、解錠成功操作を除く所定のリセット用操作を条件に消去可能にする。【選択図】  図２
2019210671.tif 000002
【特許請求の範囲】
【請求項１】
認証情報入力部から入力された認証情報に対する認証成立を条件に電気錠を解錠する錠制御装置であって、
解錠失敗操作を不正操作履歴として保持する履歴保持部と、
履歴保持部への不正操作履歴の有無を表示する履歴表示部とを有し、
前記履歴保持部に保持された不正操作履歴は、解錠成功操作を除く所定のリセット用操作を条件に消去可能にした錠制御装置。
【請求項２】
前記履歴保持部は、施錠状態における開扉操作を不正操作履歴として保持する請求項１記載の錠制御装置。
【請求項３】
前記履歴表示部は、錠制御装置への操作開始から所定期間のみ不正操作履歴を表示する請求項１または２記載の錠制御装置。
【請求項４】
前記履歴保持部は、前記認証情報入力部への所定のリセット用認証情報に対する認証成立を条件に消去可能な請求項１、２または３記載の錠制御装置。
【請求項５】
前記履歴保持部は、該履歴保持部での保持対象操作の回数を不正操作履歴として保持する請求項１から４のいずれかに記載の錠制御装置。
【請求項６】
認証情報入力部に暗証番号入力部を有し、
前記履歴保持部の不正操作回数が前記暗証番号入力部の数字を光らせて表示する請求項５記載の錠制御装置。
【発明の詳細な説明】
【技術分野】
【０００１】
本発明は錠制御装置に関するものである。
【背景技術】
【０００２】
錠装置の制御を行う錠制御装置としては、特許文献１に記載のものが知られている。この従来例において、錠制御装置は暗証符号の一致を解錠の条件とする符号錠として構成されており、入力された暗証符号が不一致の場合には不一致回数を計測する不一致カウンタを備える。
【０００３】
錠制御装置に対して誤った暗証符号を入力すると、不一致カウンタがインクリメントされ、所定の値に達すると不正解錠防止モードにセットされるとともに警報装置を作動させることにより不正解錠防止モードへの遷移を知らせ、これ以降、真正な暗証符号が入力されても解錠動作が行われない。
【０００４】
不正解錠防止モードの解消は、真正な暗証符号が所定回数入力されることにより行われ、不正解錠防止モードに移行すると、一回の真正な暗証符号の入力では解錠動作は行われず、偶然の一致による不正解錠操作を防止することができる。
【先行技術文献】
【特許文献】
【０００５】
【特許文献１】実開平７-３８５０２号公報
【発明の概要】
【発明が解決しようとする課題】
【０００６】
しかし、上述した従来例において、不正解錠防止モードへの移行時には警報装置が作動し、さらに、不正解錠防止モードにおいては真正な暗証符号を入力しても解錠されないために、不正操作があったことを知ることができるが、不正解錠防止モードへの移行が連続する複数回の不正解錠操作を条件とするために、例えば、中間に真正な解錠操作を含む場合には不正解錠防止モードに移行することはなく、不正解錠操作があったことを知ることはできないという問題がある。
【０００７】
本発明は、以上の欠点を解消すべくなされたものであって、不正解錠操作があったことを確実に知ることにより、事前の防犯対策を取ることを可能にする錠制御装置の提供を目的とする。
【課題を解決するための手段】
【０００８】
本発明によれば上記目的は、
認証情報入力部１から入力された認証情報に対する認証成立を条件に電気錠２を解錠する錠制御装置であって、
解錠失敗操作を不正操作履歴として保持する履歴保持部３と、
履歴保持部３への不正操作履歴の有無を表示する履歴表示部４とを有し、
前記履歴保持部３に保持された不正操作履歴は、解錠成功操作を除く所定のリセット用操作を条件に消去可能にした錠制御装置を提供することにより達成される。
【０００９】
錠制御装置は、解錠失敗操作を不正操作履歴として保持する履歴保持部３を備えており、履歴表示部４をアクセスすることにより履歴保持部３の内容を知ることができる。
【００１０】
したがって、本発明において、不正解錠操作が疑われる解錠失敗操作があったことを確実に知ることができるために、履歴保持部３に不正操作履歴がない場合には安心を得ることができ、履歴がある場合には、その後の適切な対処を行うことができる。
【００１１】
また、履歴保持部３は解錠成功操作により初期化されることなく、特別に設定したリセット用操作によってのみ初期化されるために、不正な解錠操作が成功した場合でも履歴を保持するために不正解錠操作があったことを確実に知ることができる。
【００１２】
解錠失敗操作には、認証情報入力部１への認証不能情報の入力、認証情報入力可能状態での認証情報未入力に加え、デッドボルト等に対する直接的な解錠状態への移行操作を含めることができる。
【００１３】
また、履歴保持部３への保持対象に施錠状態における開扉操作を加えると、いわゆる解錠のための不正操作に加え、ドアに対する不正アクセスも監視することが可能になる。
【００１４】
不正操作履歴は常時表示しておいたり、あるいは適宜の表示操作を行うことにより表示可能であるが、錠制御装置への操作開始から所定期間のみ表示するように構成すると、バッテリ駆動仕様等の場合、バッテリの消耗を防ぐことが可能になる。
【００１５】
また、履歴保持部３の初期化のためのリセット用操作としては、例えば、メカニカルキーによる操作が可能であるが、前記認証情報入力部１への所定のリセット用認証情報の入力によると、構造の複雑化を避けることができる。
【００１６】
さらに、履歴保持部３における不正操作履歴は、対象操作の有無を保持すれば足りるが、対象操作の回数を保持すると、不正解錠操作の重度を知ることができる。
【００１７】
この場合、履歴表示部４として暗証番号入力部５を利用し、該暗証番号入力部５の履歴回数に対応する数字を光らせて失敗回数を表示すると、別途の表示手段を設定する必要がなくなる。
【発明の効果】
【００１８】
本発明によれば、不正解錠操作があったことを確実に知ることができる。
【図面の簡単な説明】
【００１９】
【図１】錠装置を示す図で、（ａ）は正面図、（ｂ）は右側面図、（ｃ）は斜視図である。
【図２】本発明を示す機能ブロック図である。
【図３】制御装置のフローチャートである。
【図４】暗証番号モードにおけるフローチャートである。
【図５】カード利用モードにおけるフローチャートである。
【図６】施錠時のハンドル操作があった場合の動作を示すフローチャートである。
【発明を実施するための形態】
【００２０】
図１以下に本発明が適用された玄関ドア（Ｄ）用の錠装置を示す。本例の錠装置は、ケース６内に、ドア（Ｄ）内に組み込まれた箱錠２ａを作動させるためのモーター等の電動アクチュエータ２ｂ、および電動アクチュエータ２ｂの動作を制御するための本発明の電気錠制御装置を組み込んで形成され、玄関ドア（Ｄ）の屋外側壁面に固定されて使用される。
【００２１】
また、ケース６に開設される貫通孔６ａにはハンドル７の操作軸７ａが挿通し、箱錠２ａに設けられたラッチ（図示せず）を操作する。
【００２２】
ケース６上部には認証情報を入力するための認証情報入力部１が配置され、この認証情報入力部１から入力された認証情報が認証されると、電動アクチュエータ２ｂにより操作軸７ａが回転駆動され、箱錠２ａが施解錠操作される。
【００２３】
なお、図１において電気錠２は、ケース６内の電動アクチュエータ２ｂと、ドア（Ｄ）内の箱錠２ａとにより構成されている場合が示されているが、箱錠２ａと電動アクチュエータ２ｂとを同一ケースに収納した電気錠２を制御するように必要部分のみをケース６に収納したり、あるいは後述する認証部８をケース６外に配置するものであってもよい。
【００２４】
図２に示すように、電気錠制御装置は、制御部９と、制御部９により制御されて作動する認証部８、モード管理部１０、モード設定部１１、履歴保持部３、および電気錠駆動部１２とを有し、電気錠駆動部１２から出力される施解錠駆動信号により電気錠２内の電動アクチュエータが駆動される。
【００２５】
また、ケース６の適宜箇所には、利用者による利用開始を装置に知らせるための操作開始ボタン１３が配置され、さらに、ドア（Ｄ）には施錠状態においてドアハンドルに対する操作があった際に電気錠制御装置に操作検出信号を出力するドアハンドル操作検知部１４が配置される。
【００２６】
上記認証部８は、認証情報入力部１から入力された認証情報を認証するもので、カード認証装置１５と、暗証番号認証装置１６とから構成され、カード認証装置１５は、利用者が所持する認証媒体（認証カード）に保持される認証コードをカード読み取り部１５ａから読み込み、コード格納部１５ｂ内に登録された基準コードとの一致により認証判定するように構成される。
【００２７】
カード認証装置１５での認証を行うために、通常の運用時にユーザーが使用するユーザーカード１７Ａ、ユーザーカード１７Ａの登録、暗証コードの削除、変更を行うための管理カード１７Ｂ、および後述する履歴保持部３をリセットするための履歴リセットカード１７Ｃが用意される。
【００２８】
また、暗証番号認証装置１６は、暗証番号入力部５から利用者が入力した暗証番号とコード格納部１６ａ内の基準コードとの一致を判定するように構成される。
【００２９】
これらカード認証装置１５のカード読み取り部１５ａと暗証番号認証装置１６の暗証番号入力部５は上述したケース６の表面に配置されて認証情報入力部１を構成する。
【００３０】
電気錠制御装置の使用が開始されると、上記モード管理部１０により指定された認証方式に適合する認証装置が起動され、認証動作が行われる。
【００３１】
各認証装置は、認証動作に先立って所定の操作画面を表示し、本例において、カード認証装置１５は上述した錠装置の認証情報入力部１に配置されたカード読み取り部１５ａの近傍に表示されたカードマーク１８を点灯してカード読み取り部１５ａへの認証カードの翳しを促し、暗証番号認証装置１６は、上記認証情報入力部１にテンキーを点灯、表示して暗証番号の入力を促す。  
【００３２】
履歴保持部３は、施錠状態における解錠操作の失敗、および施錠状態における開扉操作を不正操作として保持するもので、本例において、履歴保持部３は、解錠等の失敗操作の有無のみでなく、失敗操作回数を保持する。
【００３３】
また、履歴保持部３での保持履歴は、カード利用モード下で履歴リセットカード１７Ｃをカード読み取り部１５ａに翳すことにより、あるいは暗証番号利用モード下での履歴リセット用の番号入力によりリセットされ、解錠操作の成功によってはリセットされない。
【００３４】
さらに、本例において履歴表示部４は、暗証番号認証装置１６の暗証番号入力部５が利用され、例えば、履歴情報として不正操作履歴として履歴保持対象行為が２回あったことを示す”２”が保持されている場合、履歴情報は、暗証番号入力部５の該当するテンキーである”２”を光らせることにより表示されるが、別途履歴表示部４を設けることもできる。
【００３５】
以上のように構成される電気錠２制御装置の制御原理図を図３に示す。まず、制御は操作開始ボタン１３への操作を待って開始され、操作開始ボタン１３が押下されると（ステップＳ１１）、履歴保持部３に保持された不正操作履歴（以下、「カウンタ値」）が表示され（ステップＳ１２）、解錠操作が適正である場合（ステップＳ１３）、電気錠駆動部１２に解錠信号がセットされて電気錠２が解錠駆動され（ステップＳ１４）、その後、履歴情報の表示が終了する（ステップＳ１５）。
【００３６】
これに対し、解錠操作が適正でなかった場合には、実行された操作がリセット用操作であるか否かを判定し（ステップＳ１３１）、リセット用操作である場合、履歴情報を消去（本例の場合、カウンタのリセット）が行われる（ステップＳ１３１１）。
【００３７】
また、ステップ（Ｓ１３１）においてリセット用操作と判定されなかった場合には、カウンタ値がインクリメントされた後（ステップＳ１３１２）、履歴情報の表示が終了する。
【００３８】
図４に暗証番号モードで運用している場合の制御装置の動作の詳細を示す。制御は操作開始ボタン１３への操作を待って開始され、操作開始ボタン１３が押下されると（ステップＳ２１）、履歴保持部３内のカウンタ値が１以上であるか否かが判定され（ステップＳ２２）、カウンタ値が１以上である場合には、履歴表示部４として機能する暗証番号入力部５のテンキーを点灯してカウンタ値を表示する（ステップＳ２３）。
【００３９】
バッテリ消耗を減らすために、履歴表示部４の点灯は所定時間に限られており、テンキーが点灯されると、点灯時間を計測するためのカウンタ表示タイマの計測を開始し（ステップＳ２４）、このタイマがタイムアップするまで履歴情報（カウンタ値）が表示され、次いで、テンキーを全点灯して暗証番号の入力を促す（ステップＳ２５、Ｓ２６）。
【００４０】
また、ステップＳ２２において履歴保持部３内に不正操作履歴がない場合には、履歴情報を表示することなくステップＳ２６に移行する。
【００４１】
この後、テンキーへの入力可能時間を制限するために、操作待機タイマによる計時を開始し（ステップＳ２７）、設定時間内に入力がなかった場合には（ステップＳ２８、Ｓ２９）、不正操作としてカウンタをインクリメントした後（ステップＳ２８１）、全てのテンキーを消灯し（Ｓ３２）、制御を終了する。
【００４２】
これに対し、ステップＳ２９においてタイムアップ前に暗証番号が入力された場合には、まず、入力された暗証番号が解錠用暗証番号に一致するか否かを判定し（ステップＳ３０）、一致する場合には解錠操作をした後（ステップＳ３１）、ステップＳ３２に移動する。
【００４３】
また、ステップＳ３０において暗証番号が解錠用暗証番号に一致しなかった場合、入力された暗証番号が履歴リセット用の番号に一致するか否かを判定し（ステップＳ３０１）、一致する場合には履歴情報を消去し（ステップＳ３０１１）、一致しなかった場合には、解錠操作失敗としてカウンタを増加する（ステップＳ３０１２）。
【００４４】
図５にカード利用モードで運用している場合の詳細を示す。上述した暗証番号モードでの運用と同様に、制御は操作開始ボタン１３への操作を待って開始され、操作開始ボタン１３が押下されると（ステップＳ４１）、カウンタ値が１以上であるか否かが判定される（ステップＳ４２）。本ステップにおいてカウンタ値が１以上である場合には、所定時間、カウンタ値を表示した後（ステップＳ４３、４４、４５）、カウンタ値が０、すなわち、履歴保持部３に失敗履歴が保持されていない場合には、カウンタ値を表示することなくカードによる認証を待つ。
【００４５】
カウンタ値の表示は、テンキーを光らせることにより行うことができるが、別途履歴表示部４を設けることもできる。また、カードによる認証を促すために、図１に示すように、カードアイコンを光らせることができる。
【００４６】
カードによる認証時間を制限するために、操作待機タイマによる計時が開始され（ステップＳ４６）、設定時間内に入力がなかった場合には（ステップＳ４７）、不正操作としてカウンタを増加させた後（ステップＳ４７１）、カウンタを消灯して制御を終了する（ステップＳ５１）。
【００４７】
これに対し、ステップ（ステップＳ４７）においてタイムアップ前にカードが翳された場合には（ステップＳ４８）、まず、カードがユーザーカード、すなわち、解錠用コードが記憶されたカードであるかを認証し（ステップＳ４９）、認証が成立すると、解錠操作をした後（ステップＳ５０）、ステップＳ５１に移動する。
【００４８】
また、ステップＳ４９においてカードがユーザーカードでなかった場合には、当該カードが履歴リセットカードであるか否かをカードに保持されたＩＤコードにより判定し（ステップＳ４９１）、履歴リセットカードである場合には履歴情報を消去し（ステップＳ４９２）、一致しなかった場合には、ステップＳ４７に戻り、新たなカードの認証を待つ。
【００４９】
図６にドア（Ｄ）に対する開扉失敗操作の監視も可能にした制御装置の動作を示す。本例において、制御は制御部９がドアハンドル操作検知部１４からの操作検出信号の受領により開始される（ステップＳ６１）。上述したように、ドアハンドル操作検知部１４は、ハンドル７に対する操作が行われると、施錠状態であるか否かを判定し（ステップＳ６１１）、施錠状態の場合には、制御部９に操作検出信号を出力し、制御部９は履歴保持部３のカウンタをインクリメントする（ステップＳ６１２）。
【００５０】
また、上述したハンドルへの操作がなかった場合、図３、あるいは図４、５と同様の制御が行われる。
【符号の説明】
【００５１】
１        認証情報入力部
２        電気錠
３        履歴保持部
４        履歴表示部
５        暗証番号入力部
【図１】
2019210671.tif 000003
【図２】
2019210671.tif 000004
【図３】
2019210671.tif 000005
【図４】
2019210671.tif 000006
【図５】
2019210671.tif 000007
【図６】
2019210671.tif 000008